(57)【要約】【課題】開口(50)の表面に添設する化粧板(51)に、ソケット(3)が挿通可能な窓部(52)とそれを開閉し且つ閉塞姿勢から回動させた直立開放姿勢で押込み可能な開閉蓋(30)を設け、開閉蓋(30)の押込みによって、解除レバー(21)のソケット(3)の取外し操作が実行される埋設式ガス栓のソケット取外し装置に関し、開口(50)からガス栓(2)までの距離が変わっても、開閉蓋(30)や化粧板(51)のサイズを大型化させることなく、解除レバー(21)によるソケット(3)の取外しが実行されること。【解決手段】解除レバー(21)は、開閉蓋(30)と共に押し込まれる長さ調整部材(1)を介して操作され、長さ調整部材(1)は、開閉蓋(30)の回動支点(32)が軸支され且つ開閉蓋(30)と共に押込み方向に移動可能な移動部材(10)と、それに連結され且つ押込み方向の長さが伸縮調整可能な伸縮部材(11)とからなること。【選択図】図１
2010117014.tif 000002
【特許請求の範囲】
【請求項１】
壁又は床に形成された開口の裏側に設置される埋設式ガス栓のプラグ部に接続されているソケットを取り外すソケット取外し装置であり、
前記壁又は床の表面に、前記開口を覆う化粧板が添設固定され、
前記化粧板には、前記ソケットが挿通可能な窓部と、前記窓部を開閉する開閉蓋が設けられ、
前記開閉蓋は、前記窓部を閉塞する閉塞姿勢と前記閉塞姿勢から９０度回動させた直立開放姿勢との間で回動自在に軸支されていると共に、前記直立開放姿勢のまま押込み方向に移動可能であり、
前記開閉蓋の押込みによって、前記プラグ部の基端部近傍に装着されている解除レバーが解除操作されて前記ソケットが前記プラグ部から取り外される形式の埋設式ガス栓のソケット取外し装置において、
前記解除レバーは、前記開閉蓋と共に押し込まれる長さ調整部材を介して操作される構成とし、
前記長さ調整部材は、前記開閉蓋の回動支点が軸支され且つ前記開閉蓋と共に押込み方向に移動可能な移動部材と、前記移動部材に連結され且つ一端が前記解除レバーの操作部に近接又は当接するように前記押込み方向の長さが伸縮調整可能な伸縮部材とからなることを特徴とする埋設式ガス栓のソケット取外し装置。
【請求項２】
請求項１に記載の埋設式ガス栓のソケット取外し装置において、前記伸縮部材は、開状態にある前記窓部から伸縮調整可能であることを特徴とする埋設式ガス栓のソケット取外し装置。
【請求項３】
請求項１又は請求項２に記載の埋設式ガス栓のソケット取外し装置において、
前記伸縮部材は、前記移動部材に連結される雄ネジ部材と、前記雄ネジ部材が一端から螺合可能な雌ネジ筒部材とからなり、
前記雌ネジ筒部材の他端は前記解除レバーの操作部に回り止め状態に当接又は連結されていることを特徴とする埋設式ガス栓のソケット取外し装置。
【請求項４】
請求項３に記載の埋設式ガス栓のソケット取外し装置において、
前記雌ネジ筒部材は、両端に開放し且つその一方の開放端に鍔部が張り出す構成とすると共に、前記一方の開放端が前記開口側に向いている第１の姿勢又は他方の開放端が前記開口側に向いている第２の姿勢のどちらかの姿勢にて、前記鍔部が前記解除レバーの操作部に回り止め状態に当接又は連結され、
前記雄ネジ部材は、前記雌ネジ筒部材のどちらの開放端からでも捻じ込み可能であることを特徴とする埋設式ガス栓のソケット取外し装置。
【発明の詳細な説明】
【技術分野】
【０００１】
本発明は、壁面や床面に埋設されているガス栓のプラグ部に接続されるソケットを取り外す為のソケット取外し装置に関するものである。
【背景技術】
【０００２】
埋設式ガス栓として、例えば、図８に示すようなものが知られている。このものは、壁板(5)に形成された矩形の開口(50)を介して壁内に埋め込み固定された矩形箱状のケーシング(41)と、このケーシング(41)内に収容されるガス栓(2)と、壁板(5)の表面に開口(50)を覆うように添設固定される化粧板(51)とから構成されている。
【０００３】
ガス栓(2)には、ソケット(3)を着脱自在に接続させるプラグ部(20)が開口(50)に向かって突設されており、プラグ部(20)の先端に対応する化粧板(51)の所定位置には、ソケット(3)を挿通させるための円形の窓部(52)と、窓部(52)を開閉させるための矩形の開閉蓋(30)が設けられている。又、化粧板(51)の裏側には、窓部(52)に開放する筒部(53)が連設されている。
【０００４】
開閉蓋(30)の一端辺近傍の両側部には、図９に示すように、一対の回動腕(31)が前記開閉蓋(30)の裏側へ突出しており、その突出端部の内側に突設させた回動軸(32)を、筒部(53)の対向する所定位置に軸線方向に沿って設けられているスリット(55)内に嵌め込む。これにより、回動腕(31)は前記筒部(53)に回動自在に外嵌する態様に取り付けられる。    又、回動腕(31)の外面には係止突起(34)が突設されてあり、化粧板(51)の裏側に設けた係止部(35)との間に、引張りコイルバネ(4)を張設させている。
【０００５】
同図の(a)に示すように、閉塞姿勢にある開閉蓋(30)の前記一端辺側を押し込むことにより、開閉蓋(30)は前記閉塞姿勢から９０度回動して、同図の(b)に示すように、直立開放姿勢となる。その直立姿勢のまま、開閉蓋(30)を押し込むと、開閉蓋(30)は、回動軸(32)が前記スリット(55)内を進んで行き、同図の(c)に示すように、化粧板(51)の裏側と回動腕(31)の外面に張設させた引張りコイルバネ(4)を伸張させながら、開閉蓋(30)は化粧板(51)の奥方向へ押し込まれていく。
【０００６】
ガス栓(2)のプラグ部(20)の基端部には、図８に示すように、金属板製の解除レバー(21)がケーシング(41)の深さ方向に揺動自在に装着されており、解除レバー(21)の回動支点よりもプラグ部(20)側には、プラグ部(20)を上下から挟むように一対の押圧片(21a)が設けられており、他方端側にはこれら押圧片(21a)の基端部を連結し且つ解除レバー(21)の揺動を操作する操作部(21b)が設けられて、全体として略コ字状に形成されている。
【０００７】
開閉蓋(30)を直立開放姿勢とし、ソケット(3)を化粧板(51)の円形窓部(52)から差込み、解除レバー(21)を具備させたガス栓(2)のプラグ部(20)に装着させると、ソケット(3)の先端にある進退筒(3a)が進出し、ソケット(3)はプラグ部(20)に対して抜止め状態に係合された状態でロックされる。
【０００８】
このとき、進退筒(3a)は、解除レバー(21)の押圧片(21a)の揺動範囲内に位置し且つ、操作部(21b)は、直立開放姿勢にある開閉蓋(30)の押し込み端部に近接する位置にある。
プラグ部(20)に装着されたソケット(3)を取外すには、直立開放姿勢にある開閉蓋(30)を図９の(c)に示すように奥へ押し込む。これにより、操作部(21b)が、開閉蓋(30)の押し込み端部(33)によって奥へ押されることにより、解除レバー(21)が揺動し、操作部(21b)と反対側にある押圧片(21a)がソケット(3)側へ突出する。押圧片(21a)がソケット(3)の進退筒(3a)の先端面を解除方向に押圧すると、ソケット(3)の前記ロック状態が解除され、ソケット(3)はガス栓(2)から取り外される。
【０００９】
押し込んだ後の、開閉蓋(30)は、引張りコイルバネ(4)の弾性復帰力によって図９の(b)の状態に復帰する。その後、開閉蓋(30)を閉塞方向に回動させれば、引張りコイルバネ(4)の付勢力も相俟って、窓部(52)は開閉蓋(30)で閉塞される。
この従来の形式のソケット取外し装置(10)では、直立開放姿勢にある開閉蓋(30)を押し込むだけでソケット(3)の取り付け、取外しがワンタッチででき、使い勝手の良いものとなっている。
【００１０】
上述したような埋設式ガス栓のソケット取外し装置では、ガス栓(2)の取替え等により、壁板(5)からガス栓(2)までの距離が変わった場合、開閉蓋(30)の押し込み操作で、解除レバー(21)を操作できなくなることがある。
そのために、特開平９−６８２８６号公報や特開２００４−２０５０１５号公報に開示のものを発明した。
【００１１】
前者のものは、開閉蓋(30)の裏面に、開閉蓋(30)の押し込み方向に位置調整可能な押込み片を設ける構成としたものであり、押込み片の端部で解除レバー(21)の操作部(21b)を押圧できるように、押込み片の突出長さを調整することにより、ケーシング(41)の壁板(5)からの取付け深さが変わっても押込み片で解除レバー(21)の操作部(21b)を操作することにより、ソケット(3)をガス栓(2)から確実に取り外すことができる。
【００１２】
又、後者の発明のものは、前記解除レバーと連動する解除ボタンを開閉蓋(3)とは別個に設け、この解除ボタンの軸体の長さを、解除レバーの操作部(21b)の位置に合わせて調整可能としたもので、前記解除ボタンの先端を、窓部(52)とは別に化粧板(51)に開放させている第２の窓部から露出させている。前記先端を押圧することにより、軸体の押込み端部によって、解除レバーの操作部(21b)が押され、解除レバー(21)が揺動することによりソケット(3)はガス栓(2)から取り外される。
【特許文献１】特開平９−６８２８６号公報
【特許文献２】特開２００４−２０５０１５号公報
【発明の開示】
【発明が解決しようとする課題】
【００１３】
しかしながら、これら従来の埋設式ガス栓のソケット取外し装置のうち、前者のものでは、押込み片の調整長さは開閉蓋(30)のサイズに制限されるといった問題がある。これは、押込み片の押込み端部が開閉蓋(30)の押込み端部(33)よりも深く位置するように押込み片の突出長さを調整すると、開閉蓋(30)を閉塞姿勢に戻すことができないからであり、調整幅を長く取るためには、化粧板(51)を大きく設計しなければならない。
【００１４】
又、ソケット(3)の取り外しのための、長さ調整可能な解除ボタンを設ける構成のものでは、化粧板(51)にソケット挿通用の窓部のほかに、解除ボタン露出用の窓部も設けなければならず、これら２つの窓部を閉塞させるために開閉蓋(30)を大きく形成しなければならない上に、化粧板(51)のサイズも大型化する。これにより、コストアップやガス栓の取付位置の制約が増えるといった問題がある。
【００１５】
本発明は、『壁又は床に形成された開口の裏側に設置される埋設式ガス栓のプラグ部に接続されているソケットを取り外すソケット取外し装置であり、
前記壁又は床の表面に、前記開口を覆う化粧板が添設固定され、
前記化粧板には、前記ソケットが挿通可能な窓部と、前記窓部を開閉する開閉蓋が設けられ、
前記開閉蓋は、前記窓部を閉塞する閉塞姿勢と前記閉塞姿勢から９０度回動させた直立開放姿勢との間で回動自在に軸支されていると共に、前記直立開放姿勢のまま押込み方向に移動可能であり、
前記開閉蓋の押込みによって、前記プラグ部の基端部近傍に装着されている解除レバーが解除操作されて前記ソケットが前記プラグ部から取り外される形式の埋設式ガス栓のソケット取外し装置』において、前記開口からガス栓の取付位置までの距離が変わっても、開閉蓋や化粧板のサイズを大型化させることなく、解除レバーの解除操作を確実に実行できるようにすることを課題とする。
【課題を解決するための手段】
【００１６】
（１）請求項１に係る発明の埋設式ガス栓のソケット取外し装置は、『前記解除レバーは、前記開閉蓋と共に押し込まれる長さ調整部材を介して操作される構成とし、
前記長さ調整部材は、前記開閉蓋の回動支点が軸支され且つ前記開閉蓋と共に押込み方向に移動可能な移動部材と、前記移動部材に連結され且つ一端が前記解除レバーの操作部に近接又は当接するように前記押込み方向の長さが伸縮調整可能な伸縮部材とからなること』を特徴としている。
【００１７】
上記手段は次のように作用する。
長さ調整部材は移動部材と伸縮部材とからなり、開閉蓋は移動部材に回動自在に軸支されている。よって、開閉蓋の回動時には前記長さ調整部材の姿勢は変わらず、直立開放姿勢にある開閉蓋を化粧板の裏側へ押し込むと、前記移動部材も開閉蓋と共に押し込み方向に移動する。又、これと同時に、移動部材に連設されている伸縮部材も押込み方向に移動する。
【００１８】
伸縮部材の押し込み方向の長さは伸縮調整可能であるから、前記解除レバーの操作部に伸縮部材の一端が近接又は当接するように、伸縮部材の長さを調整することができる。これにより、開閉蓋を押し込むと、伸縮部材が開閉蓋と共に押込み方向へ移動させられ、解除レバーの操作部が伸縮部材の一端によって押されて解除操作が実行される。すなわち、前記伸縮部材の一端が従来の押込み端部として機能する。
【００１９】
開閉蓋は移動部材に軸支されているから、直立開放姿勢にある開閉蓋を閉塞させる方向に回動させても、長さ調整部材が開閉蓋と同時に回動することはなく、長さ調整部材の姿勢は一定に保持される。
【００２０】
(２) 請求項２に係る発明のものは、請求項１に記載の埋設式ガス栓のソケット取外し装置において、『前記伸縮部材は、開状態にある前記窓部から伸縮調整可能である』ことを特徴とするもので、開閉蓋を直立開放姿勢とすると、伸縮部材が窓部から露出するように長さ調整部材が設置されてあり、その露出部分を操作して、前記伸縮部材の長さを調整することができる。
【００２１】
(３) 請求項３に係る発明は、請求項１又は請求項２に記載の埋設式ガス栓のソケット取外し装置において、
『前記伸縮部材は、前記移動部材に連結される雄ネジ部材と、前記雄ネジ部材が一端から螺合可能な雌ネジ筒部材とからなり、
前記雌ネジ筒部材の他端は前記解除レバーの操作部に回り止め状態に当接又は連結されている』ものであり、伸縮部材の長さは、雄ネジ部材を雌ネジ筒部材の一端から螺合させ、その螺合度合いによって決定する。雌ネジ筒部材の他端を解除レバーの操作部に回り止め状態に当接又は連結させているから、雄ネジ部材を捩じ込む又は緩めることにより、雄ネジ部材を雌ネジ筒部材の一端から所定長さ突出させることができる。そして、直立開放姿勢の開閉蓋を押込んだとき、解除レバーの操作部は前記雌ネジ筒部材の他端によって押されて解除操作させられる。この場合、前記雌ネジ筒部材の前記他端が前記押込み端部として機能する。
【００２２】
(４) 請求項４に係る発明は、請求項３に記載の埋設式ガス栓のソケット取外し装置において、『前記雌ネジ筒部材は、両端に開放し且つその一方の開放端に鍔部が張り出す構成とすると共に、前記一方の開放端が前記開口側に向いている第１の姿勢又は他方の開放端が前記開口側に向いている第２の姿勢のどちらかの姿勢にて、前記鍔部が前記解除レバーの操作部に回り止め状態に当接又は連結され、
前記雄ネジ部材は、前記雌ネジ筒部材のどちらの開放端からでも捩じ込み可能である』もので、前記第１の姿勢の場合、解除レバーの操作部よりも奥側に雌ネジ筒部材の胴部が突出する態様となり、雄ネジ部材は前記一方の開放端から捻じ込まれる。前記第２の姿勢の場合では、解除レバーの操作部よりも手前側に雌ネジ筒部材の胴部が突出する態様となり、雄ネジ部材は前記他方の開放端から捻じ込まれる。前者では、開口からガス栓の取付位置までの距離が短い場合に適用でき、後者では、前記距離が長い場合に適用でき、雌ネジ筒部材の、解除レバーの操作部への取付姿勢を切り替えることにより、雌ネジ筒部材の全体長さの約２倍の長さの範囲で伸縮調整が可能となる。
【発明の効果】
【００２３】
以上のように、請求項１に係る発明によれば、壁又は床に設けた開口からガス栓の取付位置までの距離に応じて、長さ調整部材の伸縮部材の長さを、解除レバーの操作部を解除操作可能な長さに調整することができるから、ガス栓の取付位置が変更されて、壁や床からガス栓までの距離が変更しても、直立開放姿勢にある開閉蓋を押込むだけでソケットを取り外すことができる。
【００２４】
長さ調整部材は、開閉蓋と共に押込み方向へ移動はするが、開閉蓋の回動には無関係であるから、長さ調整部材の伸縮部材は、開閉蓋のサイズに制限されることなく、所望の長さに設定することができる。逆に言えば、伸縮部材の長さを長く設定しても、開閉蓋及び化粧板の大きさを変える必要はないから、開閉蓋及び化粧板は、従来どおりの大きさのものが採用可能である。
【００２５】
長さ調整部材に開閉蓋の回動軸が軸支される構成としたから、長さ調整部材は開閉蓋が設けられている化粧板側に設けられていることとなる。よって、長さ調整部材がガス栓側に設けられているものに比べて、ガス栓を埋設固定させる際に、施工の妨げになることがなく、又、長さ調整部材を保護しなくても破損させることもない。
【００２６】
請求項２に係る発明によれば、上記効果に加えて、長さ調整部材の伸縮部材の長さ調整が容易であるという効果がある。
【００２７】
請求項３に係る発明によれば、長さ調整部材を雄ネジ部材と雌ネジ筒部材から構成することにより、長さ調整部材の製造及び組み付けが容易となり、さらに、長さ調整も一層容易となる。
【００２８】
請求項４に係る発明によれば、雌ネジ筒部材の、解除レバーの操作部への取付姿勢を第１の姿勢から第２の姿勢へ切り替えることにより、雌ネジ筒部材の長さの約２倍の長さ分の伸縮調整が可能となるので、雌ネジ筒部材及び雄ネジ部材の長さを短くすることができる。その分コストダウンを図ることができる。又、雌ネジ筒部材の姿勢を切り替えることにより、伸縮部材の伸縮範囲が広がるから、ガス栓の取替え等によって、壁又は床からガス栓の取付位置までの距離が従前のものより短くなっても長くなっても、ガス栓に装着されている解除レバーの操作部の位置に合わせて伸縮部材の長さを確実に調整することができる。
【発明を実施するための最良の形態】
【００２９】
以下に、本発明を実施するための最良の形態について添付図面を参照しながら説明する。
この実施の形態の埋設式ガス栓は、図８に示した従来例のものと同様に、壁板(5)に設けた開口(50)の裏側に埋設させるケーシング(41)内に収容させる形式のものであり、図１に示したものは、取付状態における部分横断面図であり、図２は、図１のＸ−Ｘ断面図である。
【００３０】
ガス栓(2)のプラグ筒(20)の基端部には、従来のものと同様に、略Ｃ字状の解除レバー(21)が揺動支点(21c)を中心に、深さ方向に揺動自在に軸支されてある。解除レバー(21)の一方端には、ソケット(3)の進退筒(3a)を解除方向に押圧する一対の押圧片(21a)(21a)が形成され、他方端は前記押圧片(21a)(21a)の揺動を操作する操作部(21b)となっている。尚、解除レバー(21)は、押圧片(21a)と操作部(21b)が略水平に位置する状態に保持されるように線細工バネ（図示せず）によって付勢されており、操作部(21b)が奥側へ押されると、解除レバー(21)が、図１の破線で示すように、線細工バネの付勢力に抗して揺動し、押圧片(21a)が開口(50)側へ突出し、ソケット(3)の進退筒(3a)を解除方向に押圧する。これにより、ソケット(3)がガス栓(2)から取り外される。
【００３１】
壁板(5)の表面には、壁板(5)の開口(50)を閉塞するように、略長方形状の樹脂板からなる化粧板(51)が添設固定される。化粧板(51)の表面側には、矩形段部(57)が形成されると共に（図８参照）、矩形段部(57)に、プラグ筒(20)に接続させるソケット(3)を挿通させるための窓部(52)が形成されている。そして、矩形段部(57)内に収容される状態で、窓部(52)全体を閉塞可能な矩形状の開閉蓋(30)が９０度の範囲で開閉自在に設けられている。
【００３２】
化粧板(51)の裏面には、窓部(52)に開放する断面略半円形の筒部(53)が連設されており、筒部(53)の断面の開放端側に、開閉蓋(30)が直立開放姿勢で差し込み可能となっている。
筒部(53)の前記開放端近傍の両側壁に、筒部(53)の軸線方向に沿ってスリット(55)が形成されてあり、このスリット(55)に、後述する、長さ調整部材(1)の凸部(15)が内側から差し込まれ、凸部(15)に開閉蓋(30)が外側から軸支される。
【００３３】
まず、開閉蓋(30)について説明する。
開閉蓋(30)には、図２及び図３に示すように、開閉蓋(30)を開放させたときに化粧板(51)の奥へ押し込まれる一辺側の両側の外側面に、それぞれ、回動腕(31)が裏側へ突設された形状となっており、各回動腕(31)の突出端部の内面には、前記凸部(15)に回動自在に貫通する回動軸(32)が突設されている。
尚、回動腕(31)の外面には、図２に示すように、引張りコイルバネ(4)の一端を係止させるための係止突起(34)が突設されてあり、化粧板(51)の裏側に、図９に示すように、引張りコイルバネ(4)の他端が係止される。このように、開閉蓋(30)と化粧板(51)との間には、従来のものと同様に、引張りコイルバネ(4)が介在されてあり、開閉蓋(30)は、図３の二点鎖線に示す閉塞姿勢から、回動軸(32)を中心に９０度回動させた直立開放姿勢へと引張りコイルバネ(4)を伸縮させながら移動可能となっている。
【００３４】
次に、長さ調整部材(1)について説明する。
長さ調整部材(1)は、図２に示すように、ガス栓(2)側へ開放する平面形状が略コ字状の移動部材(10)と、押込み方向の長さを伸縮調整できる伸縮部材(11)とから構成されてあり、移動部材(10)は、図３に示すように、両腕部(10a)(10a)と、両腕部(10a)(10a)を連結している連結部(10b)とからなり、両腕部(10a)には、その開放端から前述の凸部(15)が垂下されて側面形状が略Ｌ字状に形成されている。
【００３５】
凸部(15)は、スリット(55)に沿った縦長に形成されてあり、開閉蓋(30)の回動軸(32)は、前記縦長の凸部(15)の上端近傍に回動自在に貫通している。
尚、凸部(15)は、筒部(53)のスリット(55)内を長手方向に移動可能であり、凸部(15)に回動軸(32)を貫通させている開閉蓋(30)も、移動部材(10)と共に移動可能となる。
【００３６】
伸縮部材(11)は、図３に示すように、移動部材(10)の連結部(10b)を貫通する雄ネジ部材(12)と雄ネジ部材(12)が螺合可能な雌ネジ筒部材(13)とからなり、雄ネジ部材(12)の所定位置には、止め輪(14)が装着されている。止め輪(14)と、雄ネジ部材(12)の頭部(16)との間に連結部(10b)が嵌め込まれることにより、伸縮部材(11)は移動部材(10)と共に移動可能となっている。
【００３７】
これにより、開閉蓋(30)と、移動部材(10)と、伸縮部材(11)が同時に、開閉蓋(30)の押込み方向に移動可能となる。
雌ネジ筒部材(13)は、両端面が正方形の角柱の一方の端面から雌ネジ部を内周面に穿設されてあり、図３に示すように、開閉蓋(30)の閉塞姿勢又は、直立開放姿勢にて、雌ネジ筒部材(13)の他方の端面を、解除レバー(21)の操作部(21b)に回り止め状態に略当接させている。
【００３８】
開閉蓋(30)を９０度回動させても、回動軸(32)の位置は変わらないので、長さ調整部材(1)の姿勢及び位置はそのままである。この状態から、図４に示すように、開閉蓋(30)を押込むと、開閉蓋(30)の回動軸(32)が押込み方向に移動するため、回動軸(32)が軸支されている長さ調整部材(1)の凸部(15)もスリット(55)に沿って降下する。すなわち、開閉蓋(30)を押込むと、長さ調整部材(1)全体も同方向へ移動することとなり、雌ネジ筒部材(13)の前記他方の端面によって解除レバー(21)の操作部(21b)が押し下げられる。このように、雌ネジ筒部材(13)の前記他方の端面を、解除レバー(21)の操作部(21b)を押込む押込み端部として機能させることにより、解除レバー(21)が揺動し、操作部(21b)と反対側にある押圧片(21a)が浮き上がってソケット(3)の先端の進退筒(3a)を解除方向に押す。これにより、ソケット(3)のロック状態が解除されて、ソケット(3)がガス栓(2)から取り外される。
【００３９】
ソケット(3)が取り外された後は、解除レバー(21)及び開閉蓋(30)は、それぞれ引張りコイルバネ(4)の弾性復帰力によって、図１の実線に示す期姿勢に弾性復帰させられ、開閉蓋(30)を倒せば、閉塞姿勢になる。
上述の長さ調整部材(1)を具備させたガス栓において、ガス栓(2)の取り付け位置によって、ガス栓(2)に具備させている解除レバー(21)の位置も変わり、伸縮部材(11)の押込み端部が、解除レバー(21)の操作部(21b)に対応できなくなることがある。この場合、雄ネジ部材(12)の雌ネジ筒部材(13)への螺合度合いを調整して、伸縮部材(11)の全体長さを調整すれば、前記押込み端部を、揺動前の解除レバー(21)の操作部(21b)に近接又は当接するように位置合わせすることができる。
【００４０】
雄ネジ部材(12)の頭部(16)は、化粧板(51)の窓部(52)に露出するように設けられてあり、雄ネジ部材(12)の雌ネジ筒部材(13)への螺合度合いの調整を、窓部(52)から工具を差し入れて行なうことができるから、伸縮部材(11)の伸縮長さの調整を容易に行うことができる。
【００４１】
図５に示すものは、第２番目の実施の形態における解除レバー(21)の平面図である。この実施の形態の解除レバー(21)の操作部(21b)には、一辺中央に開放する切欠(22)が形成され、一対の操作部(21b)が切欠(22)の両側に位置する構成とした。
【００４２】
伸縮部材(11)を構成している雌ネジ筒部材(13)は、両端面が正方形の角柱内に長手方向に沿った内面に雌ネジ部を両端面に開放するように穿設させていると共に、一方の端面の対向する二辺からは、鍔部(23)(23)を張り出させている。
【００４３】
図６に示すように、雌ネジ筒部材(13)の他方の端面を、解除レバー(21)の上方から切欠(22)内に差込み、鍔部(23)(23)を、両操作部(21b)の上面にそれぞれ係止させた状態が、雌ネジ筒部材(13)の第１の姿勢となり、雄ネジ部材(12)は、鍔部(23)(23)が張り出している側の端面から捩じ込まれる。
【００４４】
上記第１の姿勢では、雌ネジ筒部材(13)は、解除レバー(21)よりも下方にのみ突出する態様となり、解除レバー(21)と、長さ調整部材(1)の移動部材(10)の距離を短く設定することができ、解除レバー(21)が具備されているガス栓(2)と、長さ調整部材(1)が装着されている開閉蓋(30)との距離が近い場合に、採用可能である。
【００４５】
雌ネジ筒部材(13)を、図７に示すように、鍔部(23)(23)が張り出している側の端面を解除レバー(21)に上方から対向させ、鍔部(23)(23)を、両操作部(21b)(21b)の上面にそれぞれ係止させた状態が、雌ネジ筒部材(13)の第２の姿勢となり、雄ネジ部材(12)は、鍔部(23)(23)が形成されていない他の端面から捩じ込まれる。
【００４６】
上記第２の姿勢では、雌ネジ筒部材(13)は、解除レバー(21)よりも上方にのみ突出する態様となるから、解除レバー(21)と、長さ調整部材(1)の移動部材(10)の距離を長く設定することができ、解除レバー(21)が具備されているガス栓(2)と、長さ調整部材(1)が装着されている開閉蓋(30)との距離が遠い場合に、採用可能である。
【００４７】
このように、第２番目の実施の形態のものでは、雌ネジ筒部材(13)を第１の姿勢から第２の姿勢に切り替えることにより、長さ調整部材(1)は、雌ネジ筒部材(13)の長さの約２倍の長さ伸縮可能となる。よって、第１番目の実施の形態で採用した雌ネジ筒部材(13)に比べて、その長さを半分に設定することができるから、コストダウンを図ることができる。
【００４８】
さらに、第１又は第２の姿勢にある雌ネジ筒部材(13)から突出させる雄ネジ部材(12)の長さを調整することによって、長さ調整部材(1)の伸縮範囲は広がり、ガス栓(2)の取替え等により、壁板(5)からガス栓(2)の取付位置までの距離が近くなっても遠くなっても、直立開放姿勢にある開閉蓋(30)の押込みによって操作部(21b)を操作可能な長さ調整部材(1)を提供することができる。
【００４９】
上記各実施の形態のものでは、解除レバー(21)の操作部(21b)を押圧方向に操作する長さ調整部材(1)は、化粧板(51)の筒部(53)内に設けられていると共に、開閉蓋(30)の押込み方向には開閉蓋(30)と共に移動するが、開閉蓋(30)と共に回動しないように設定されているから、長さ調整部材(1)を比較的長く設定しなければならない場合でも、開閉蓋(30)又は化粧板(51)の大きさを特別大きく設ける必要はなく、コンパクトに構成することができる。長さ調整部材(1)の伸縮調整は、雄ネジ部材(12)の雌ネジ筒部材(13)への螺合度合いによる構成としたから、製造が容易である上に、調整作業も窓部(52)から容易に実施できる。
尚、上記各実施の形態で採用した解除レバー(21)の操作部(21b)の端縁は、雌ネジ筒部材(13)又は鍔部(23)(23)の当接面側へ折り曲げられ、この折り曲げ部分を雌ネジ筒部材(13)又は鍔部(23)(23)の回り止め部として機能させている。
【図面の簡単な説明】
【００５０】
【図１】本願発明の第１番目の実施の形態の埋設式ガス栓のソケット取外し装置の部分横断面図。
【図２】図１のＸ−Ｘ断面図。
【図３】本願発明の第１番目の実施の形態の埋設式ガス栓のソケット取外し装置の要部拡大断面図。
【図４】図３の状態から開閉蓋を押込み方向へ押込んだ状態を示す要部拡大断面図。
【図５】本願発明の第２番目の実施の形態の埋設式ガス栓の取外し装置に採用した解除レバーの平面図。
【図６】本願発明の第２番目の実施の形態の埋設式ガス栓の取外し装置の要部拡大断面図。
【図７】本願発明の第２番目の実施の形態の埋設式ガス栓の取外し装置の変形例を示す要部拡大断面図。
【図８】従来の埋設式ガス栓の分解斜視図。
【図９】従来の埋設式ガス栓の化粧板に具備させる開閉蓋の開閉の様子を示す説明図。
【符号の説明】
【００５１】
(1) ・・・・・・・長さ調整部材
(10)・・・・・・・移動部材
(11)・・・・・・・伸縮部材
(2) ・・・・・・・ガス栓
(20)・・・・・・・プラグ部
(21)・・・・・・・解除レバー
(21b) ・・・・・・操作部
(3) ・・・・・・・ソケット
(30)・・・・・・・開閉蓋
(32)・・・・・・・回動支点（回動軸）
(5) ・・・・・・・壁
(50)・・・・・・・開口
(51)・・・・・・・化粧板
(52)・・・・・・・窓部
【図１】
2010117014.tif 000003
【図２】
2010117014.tif 000004
【図３】
2010117014.tif 000005
【図４】
2010117014.tif 000006
【図５】
2010117014.tif 000007
【図６】
2010117014.tif 000008
【図７】
2010117014.tif 000009
【図８】
2010117014.tif 000010
【図９】
2010117014.tif 000011